(57)【要約】【目的】この発明の目的は、河川の流れの勢いを弱めることができ、流れの方向を制御を行うことができ、合理的且つ容易に構築することができる河川構造物を実現することにある。【構成】このため、この発明は、砂払材と第１合掌材と棟材と前立材と桁材と第１梁材と第２合掌材と第２梁材と第３合掌材と第３梁材とからなる木材を連結して枠体を組み、この枠体の各梁材間に特定形状に形成された重しブロックを配設するとともにこの重しブロックに各支持材を貫通させて桁材に連結して設けたものである。【選択図】        図１
2004176436.tif 000002
【特許請求の範囲】
【請求項１】
木材により組まれた枠体とこの枠体を川床に固定する特定形状に形成された重しブロックとからなり、前記枠体は河川の流れを横切る方向に配設された砂払材を設け、この砂払材の両端に一対の第１合掌材の各下端を連結して立ち上げるとともにこの一対の第１合掌材の各上端を交差させて連結して設け、前記一対の第１合掌材上端の交差する部位に棟材の前端を跨らせて連結するとともにこの棟材の後端を下流方向に延ばして配設し、前記砂払材と前記第１合掌材の交差する部位とに前立材の上下端を連結して設け、前記一対の第１合掌材の各下端に接するように前記砂払材の両端に一対の桁材の各前端を連結するとともにこの一対の桁材の各後端を前記棟材の後端に交差させて連結して設け、前記一対の第１合掌材の各下端が接する部位の前記一対の桁材上に第１梁材を架け渡して両端を連結して設け、前記一対の第１合掌材よりも下流方向の前記一対の桁材及び棟材に一対の第２合掌材の各下端及び交差させた各上端を連結して設け、この一対の第２合掌材の各下端が接する部位の前記一対の桁材上に第２梁材を架け渡して両端を連結して設け、前記一対の第２合掌材よりも下流方向の前記一対の桁材及び棟材に一対の第３合掌材の各下端及び交差させた各上端を連結して設け、この一対の第３合掌材の各下端が接する部位の前記一対の桁材上に第３梁材を架け渡して両端を連結して設け、前記第１梁材と第２梁材との間に前記重しブロックを配設するとともにこの重しブロックに貫通させた第１支持材を前記一対の桁材上に架け渡して両端を連結して設け、前記第２梁材と第３梁材との間に前記重しブロックを配設するとともにこの重しブロックに貫通させた第２支持材を前記一対の桁材上に架け渡して両端を連結して設けたことを特徴とする河川構造物。
【発明の詳細な説明】
【０００１】
【発明の属する技術分野】
この発明は河川構造物に係り、特に、河川の流れの勢いの弱化と流れの方向の制御とを行い得て、合理的且つ容易に構築し得る河川構造物に関する。
【０００２】
【従来の技術】
河川工事においては、洪水時等の増加した水を速やかに下流方向に流れさせるために、川岸のみならず川床までもコンクリートにより平坦面に固める工法が採用されている。この工法により改修された河川においては、水の流れの変化や淀みが無くなるため、生物の生育環境の悪化を招き、水棲生物や植物の生育が阻害される問題がある。
【０００３】
このような現代の河川工法に対しては、自然環境に影響を与えにくい伝統的な河川工法として、河川の流れの勢いや方向を制御するための河川構造物を構築しているものがある。この河川構造物には、伝統的な河川工法に使用される水制工として、木材により三角錐状あるいは方錐体状に枠体を組み、この枠体を重しにより川床に固定したものがある。
【０００４】
【発明が解決しようとする課題】
ところで、木材により三角錐状あるいは方錐体状の枠体に組んだ河川構造物は、水に流されないように、竹や鉄線で編んだかごに石を詰めた蛇籠を重しとして載せている。
【０００５】
ところが、蛇籠は、網状のかご内に石を詰めた状態での形状が安定しないため、合理的に設置し難い問題があり、また、石を詰めた状態での持ち上げ時に形状が変化してしまうため、移動や設置に手間が係る問題がある。
【０００６】
【課題を解決するための手段】
そこで、この発明は、上述の問題を除去するために、木材により組まれた枠体とこの枠体を川床に固定する特定形状に形成された重しブロックとからなり、前記枠体は河川の流れを横切る方向に配設された砂払材を設け、この砂払材の両端に一対の第１合掌材の各下端を連結して立ち上げるとともにこの一対の第１合掌材の各上端を交差させて連結して設け、前記一対の第１合掌材上端の交差する部位に棟材の前端を跨らせて連結するとともにこの棟材の後端を下流方向に延ばして配設し、前記砂払材と前記第１合掌材の交差する部位とに前立材の上下端を連結して設け、前記一対の第１合掌材の各下端に接するように前記砂払材の両端に一対の桁材の各前端を連結するとともにこの一対の桁材の各後端を前記棟材の後端に交差させて連結して設け、前記一対の第１合掌材の各下端が接する部位の前記一対の桁材上に第１梁材を架け渡して両端を連結して設け、前記一対の第１合掌材よりも下流方向の前記一対の桁材及び棟材に一対の第２合掌材の各下端及び交差させた各上端を連結して設け、この一対の第２合掌材の各下端が接する部位の前記一対の桁材上に第２梁材を架け渡して両端を連結して設け、前記一対の第２合掌材よりも下流方向の前記一対の桁材及び棟材に一対の第３合掌材の各下端及び交差させた各上端を連結して設け、この一対の第３合掌材の各下端が接する部位の前記一対の桁材上に第３梁材を架け渡して両端を連結して設け、前記第１梁材と第２梁材との間に前記重しブロックを配設するとともにこの重しブロックに貫通させた第１支持材を前記一対の桁材上に架け渡して両端を連結して設け、前記第２梁材と第３梁材との間に前記重しブロックを配設するとともにこの重しブロックに貫通させた第２支持材を前記一対の桁材上に架け渡して両端を連結して設けたことを特徴とする。
【０００７】
【発明の実施の形態】
この発明の河川構造物は、木材からなる各材を連結して枠体を組み、この枠体の各梁材間に特定形状の重しブロックを配設し、この重しブロックに各支持材を貫通させて桁材に連結していることにより、枠体と重しブロックとによって河川の水の流れに対して抵抗となることができるとともに方向付けを与えることができ、また、枠体に載せる重しブロックを特定形状に形成していることから、重しブロックの配置を合理的に設計することができ、持ち上げ時に重しブロックの形状が変化することがなく、重しブロックの移動や設置に手間がかかることが無い。
【０００８】
【実施例】
以下図面に基づいて、この発明の実施例を説明する。図１〜図５は、この発明の第１実施例を示すものである。図１において、２は河川の川床、４は水制工としての河川構造物である。河川構造物４は、木材により組まれた枠体６と、この枠体６を川床２に設置する特定形状に形成された重しブロック８とからなる。
【０００９】
前記枠体６は、図２〜図４に示す如く、木材として間伐材を利用し、針金により連結されて三角錐状に組立られる。前記重しブロック８は、図５に示す如く、下面１０よりも上面１２が下流方向に平行にずれ、両側面１４・１６の各上端を各下端よりも下流方向に位置させて互いに平行させるとともに前後面１８・２０を互いに平行させ、正面視において上部が下流方向に傾斜する平行四辺形に形成して設けている。重しブロック８には、前後面１８・２０に貫通する２つの貫通孔２２を形成して設けている。
【００１０】
前記枠体６は、河川の流れを横切る方向に配設された砂払材２４を設け、この砂払材２４の両端に一対の第１合掌材２６の各下端を針金等の連結具（図示せず）により夫々連結して立ち上げるとともに、この一対の第１合掌材２６の各上端を交差させて針金等の連結具（図示せず）により連結して設けている。一対の第１合掌材２６上端の交差する部位には、棟材２８の前端を跨らせて針金等の連結具（図示せず）により連結するとともに、この棟材２８の後端を下流方向に延ばして配設している。
【００１１】
前記砂払材２４の中間と第１合掌材２６上端の交差する部位とには、前立材３０の上下端を針金等の連結具（図示せず）により夫々連結して設けている。前記砂払材２４の両端には、一対の第１合掌材２６の各下端に接するように、一対の桁材３２の各前端を針金等の連結具（図示せず）により連結するとともに、この一対の桁材３２の各後端を下流方向に延ばして棟材２８の後端に交差させて針金等の連結具（図示せず）により連結して設けている。
【００１２】
前記一対の第１合掌材２６の各下端が接する部位の一対の桁材３２上には、第１梁材３４を架け渡して両端を針金等の連結具（図示せず）により連結して設けている。
【００１３】
また、前記一対の第１合掌材２６よりも下流方向の一対の桁材３２及び棟材２８には、一対の第２合掌材３６の各下端及び交差させた各上端を針金等の連結具（図示せず）により連結して設けている。この一対の第２合掌材３６の各下端が接する部位の一対の桁材３２上には、第２梁材３８を架け渡して両端を針金等の連結具（図示せず）により連結して設けている。
【００１４】
さらに、前記一対の第２合掌材３６よりも下流方向の一対の桁材３２及び棟材２８には、一対の第３合掌材４０の各下端及び交差させた各上端を針金等の連結具（図示せず）により連結して設けている。この一対の第３合掌材４０の各下端が接する部位の一対の桁材３２上には、第３梁材４２を架け渡して両端を針金等の連結具（図示せず）により連結し、下流側に向かって先細る三角錐状の枠体６を形成している。
【００１５】
この枠体６は、重しブロック８により川床２に設置している。前記第１梁材３４と第２梁材３８との間には、複数の重しブロック８を配設するとともに、この複数の重しブロック８の貫通孔２２に貫通させた第１支持材４４を一対の桁材３２上に架け渡して両端を針金等の連結具（図示せず）により連結して設けている。前記第２梁材３８と第３梁材４２との間には、複数の重しブロック８を配設するとともに、この重しブロック８の貫通孔２２に貫通させた第２支持材４６を一対の桁材３２上に架け渡して両端を針金等の連結具（図示せず）により連結して設けている。
【００１６】
前記一対の桁材３２上に架け渡した第１梁材３４と第２梁材３８と第３梁材４２と第１支持材４４と第２支持材４６との各両端には、夫々２本一対の補強材４８を架け渡して針金等の連結具（図示せず）により連結して設けている。また、前記一対の桁材３２上に架け渡した第１梁材３４と第２梁材３８と第１支持材４４とには、第１梁材３４と第２梁材３８との間に配設された重しブロック８の河川の流れを横切る方向の両側に接するように、夫々一対の連絡材５０を架け渡して針金等の連結具（図示せず）により連結して設けている。
【００１７】
次に、第１実施例の作用を説明する。
【００１８】
河川構造物４を構築する際には、整地した川床２上に枠体６を構成する砂払材２４を、河川の水の流れ方向Ｘに対して交差する方向Ｙに指向させて配設する。
この砂払材２４には、一対の第１合掌材２６を立ち上げて合掌させて連結する。
一対の第１合掌材２６上端の交差する部位には、棟材２８の先端を跨らせて連結するとともに、この棟材２８の後端を下流方向に延ばし、川床２に当接させて配設する。
【００１９】
砂払材２４と第１合掌材２６とには、前立材３０の上下端を連結する。砂払材２４の両端には、一対の桁材３２の各前端を連結し、この一対の桁材３２の各後端を棟材２８の後端に交差させて連結する。棟材２８と一対の桁材３２との各後端は、棟材２８が最下部に位置され、この棟材２８上に河心側に配置された一方の桁材３２が位置され、この一方の桁材３２上に堤防側に配置された他方の桁材３２が位置されるように、交差させて連結している。一対の第１合掌材２６の各下端が接する部位の一対の桁材３２上には、第１梁材３４を架け渡して連結する。
【００２０】
一対の桁材３２及び棟材２８には、一対の第１合掌材２６よりも下流方向の中間に、一対の第１合掌材３６と一対の第２合掌材４０とを下流方向に順次に配設して立ち上げ、合掌させて連結する。一対の桁材３２上には、一対の第２合掌材３６の各下端が接する部位に第２梁材３８を架け渡して連結し、一対の第３合掌材４０の各下端が接する部位に第３梁材４２を架け渡して連結し、下流側に向かって先細る三角錐状の枠体６を形成する。
【００２１】
枠体６は、第１梁材３４と第２梁材３８との間に、複数の重しブロック８を重機等により吊り下げて川の水の流れ方向Ｘに対して交差する方向Ｙに並べて配設し、貫通孔２２に第１支持材４４を貫通させ、一対の桁材３２上に架け渡して連結する。また、枠体６は、第３梁材３８と第３梁材４２との間に、複数の重しブロック８を重機等により吊り下げて川の水の流れ方向Ｘに対して交差する方向Ｙに並べて配設し、貫通孔２２に第２支持材４６を貫通させ、一対の桁材３２上に架け渡して連結する。
【００２２】
また、この枠体６は、第１梁材３４と第２梁材３８と第３梁材４２と第１支持材４４と第２支持材４６との各両端に夫々補強材４８を架け渡して連結し、第１梁材３４と第２梁材３８との間に配設された重しブロック８の両側に接するように、第１梁材３４と第２梁材３８と第１支持材４４とに夫々連絡材５０を架け渡して連結することにより、河川構造物４の構築が完了する。この河川構築物４は、堤防に沿って水の流れＸ方向に対して上流側から下流側に向かい複数個を列状に構築する。
【００２３】
このように、河川構造物４は、木材からなる各材２４〜５０を連結して三角錐状の枠体６を組み、この枠体６の各梁材３４・３８・４２間に特定形状の重しブロック８を配設し、この重しブロック８に各支持材４４・４６を貫通させて桁材３２に連結して、枠体６を川床２に固定している。
【００２４】
これにより、この河川構造物４は、枠体６と重しブロック８とによって、河川の水の流れに対して抵抗となることができるとともに河心側への方向付けを与えることができる。このため、この河川構造物４は、河川の流れの勢いの弱化と流れの方向の制御とを行うことができ、安定した治水を実現することができる。
【００２５】
また、河川構造物４は、枠体６に載せる重しブロック８を特定形状に形成していることから、重しブロック８の配置を合理的に設計することができ、持ち上げ時に重しブロック８の形状が従来の蛇籠のように変化することがなく、重しブロック８の移動や設置に手間がかかることが無い。このため、この河川構造物４は、合理的且つ容易に構築することができる。さらに、河川構造物４は、枠体６の各材２４〜５０を連結する連結具（図示せず）を針金とすることにより、ボルトと比較して落ち着きが良い。
【００２６】
図６は、この発明の第２実施例を示すものである。第２実施例の河川構造物４は、枠体６を構成する一対の連絡材５０を砂払材２４よりも水の流れ方向Ｘに対して上流方向に延長し、一対の連絡材５０の延長された先端に前端梁材５２を架け渡して針金等の連結具（図示せず）により連結し、前端梁材５２と砂払材２４との間に重しブロック８を水の流れ方向Ｘに対して交差する方向Ｙに配設するとともに、この重しブロック８の貫通孔２２に貫通させた前端支持材５４の両端を一対の連絡材５０の延長した部位に針金等の連結具（図示せず）により連結して設けている。
【００２７】
また、第２実施例の河川構造物４は、枠体６を構成する一対の桁材３２及び棟材２８の各後端が交差する部位に、後端第１梁材５６と後端第２梁材５８とを一対の桁材３２上に架け渡して針金等の連結具（図示せず）により連結し、後端第１梁材５６と後端第２梁材５８との両端に一対の連絡材６０を夫々架け渡して針金等の連結具（図示せず）により連結し、後端第１梁材５６と後端第２梁材５８との間に重しブロック８を配設するとともに、この重しブロック８の貫通孔２２に貫通させた後端支持材６２の両端を後端第１梁材５６と後端第２梁材５８とに針金（図示せず）により連結して設けている。
【００２８】
第２実施例の河川構造物４は、砂払材２４の前側に重しブロック８を配設したことにより、砂払材２４下方への流水の潜り込みによる洗掘を防止することができるとともに、一対の桁材３２及び棟材２８の各後端に重しブロック８を配設したことにより、たとえ砂払材２４下方が洗掘された場合にも枠体６後端が浮き上がることを防止することができる。
【００２９】
なお、この発明は、上述実施例に限定されるものではなく、種々応用改変が可能である。例えば、重しブロック８は、図７〜図１５に示す如く、形状を設定することができる。
【００３０】
図７に示す重しブロック８は、正面視において上部が下流方向に傾斜する平行四辺形に形成し、前後面１８・２０に貫通する２つ以上の複数の貫通孔２２を形成して設けたものであり、各支持材４４・４６を貫通させる貫通孔２２を選択することができ、配設位置の設定を容易に変更することができる。
【００３１】
図８に示す重しブロック８は、両側面１４・１６の各上端を各下端よりも上流方向に位置させて互いに平行させるとともに前後面１８・２０を互いに平行させ、正面視において上部が上流方向に傾斜する平行四辺形に形成して設けたものである。図９に示す重しブロック８は、上流方向に対向する側面１４の上端を下端よりも下流方向に位置させるとともに下流方向に対向する側面１６の上端を下端よりも上流方向に位置させ、正面視において不等脚台形に形成して設けたものである。図１０に示す重しブロック８は、平行な上下面１０・１２と平行な両側面１４・１６とを互いに直交させ、正面視において長四角形状に形成して設けたものである。図１１に示す重しブロック８は、上下面１０・１２及び両側面１４・１６を滑らかに連続させ、正面視において両側面１４・１５側を長径とする長円形に形成して設けたものである。
【００３２】
図８〜図１１に示す重しブロック８は、正面視における形状を変更したことにより、河川の水の流れに対する抵抗や方向付けを変更することができ、河川の流れの勢いの弱化と流れの方向の制御とを所望に設定することができる。
【００３３】
図１２に示す重しブロック８は、両側面１４・１６の各上端を各下端よりも下流方向に位置させて互いに平行させるとともに前後面１８・２０を互いに平行させ、正面視において上部を下流方向に傾斜する平行四辺形に形成し、前後面１８・２０に貫通して下面１０に達するとともに両側面１４・１６に平行な傾斜する２つの溝部６４を形成して設けたものであり、枠体６の組立が完成した後に各支持材４４・４６に後載せすることができる。
【００３４】
図１３に示す重しブロック８は、平行な上下面１０・１２と平行な両側面１４・１６とを互いに直交させ、正面視において長四角形に形成し、前後面１８・２０に貫通して下面１０に達するとともに下端が上端よりも下流方向に傾斜する２つの溝部６４を形成して設けたものであり、各支持材４４・４６に後載せすることができるとともに、上流方向に対向する側面１４に衝接する漂流物や水流の力による各支持材４４・４６からの抜けを防止することができる。
【００３５】
図１４に示す重しブロック８は、両側面１４・１６の各上端を各下端よりも下流方向に位置させて互いに平行させるとともに前後面１８・２０を互いに平行させ、正面視において上部を下流方向に傾斜する平行四辺形に形成し、互いに平行な前後面１８・２０のいずれか一方、図においては前面１８に下面１０から上面１２に達する溝部６６を形成して設けるとともに、前後面１８・２０のいずれか他方、図においては後面２０に下面１０から上面１２に達し且つ溝部６６と係合する突部６８を形成して設けたものである。
【００３６】
図１４に示す重しブロック８は、図１５に示す如く、重機等で吊り上げて枠体６の第１梁材３４と第２梁材３８との間に配設する際に、上下方向に指向する溝部６６と突部６８との係合により、配設位置に容易に案内することができるとともに、配設位置に容易に位置決めして設置することができ、また、設置後の位置ズレを防止することができる。
【００３７】
また、この河川構造物４は、図１６〜図１９に示す如く、構築することができる。
【００３８】
図１６に示す河川構造物４は、複数の重しブロック８を図示しない堤防側よりも河心側が下流側に順次に後退して位置されるように、水の流れ方向Ｘに対して角度θ１だけ傾斜させて配設し、また、砂払材２４を堤防側よりも河心側が下流側に位置されるように、水の流れ方向Ｘに対して角度θ２だけ傾斜させて配設したものである。
【００３９】
このように、この河川構造物４は、平面視において、複数の重しブロック８及び砂払材２４を、堤防側から河心側に向かって下流側に傾斜させて配設したことにより、河川の水の流れに対して抵抗となることができるとともに、河心側への方向付けを積極的に与えることができ、河川の流れの勢いの弱化と流れの方向の制御とを行うことができる。
【００４０】
図１７に示す河川構造物４は、複数の重しブロック８を堤防側の複数の重しブロック８群Ｇ１とこの堤防側の重しブロック８群Ｇ１よりも少ない数の河心側の複数の重しブロック８群Ｇ２とに２分し、堤防側の重しブロック８群Ｇ１を堤防側よりも河心側が下流側に後退して位置されるように、水の流れ方向Ｘに対して角度θ３だけ傾斜させて配設するとともに、河心側の重しブロック８群Ｇ２を堤防側よりも河心側が上流側に前進して位置されるように、水の流れ方向Ｘに対して前記角度θ３と交差する角度θ４だけ傾斜させて配設し、また、砂払材２４を堤防側よりも河心側が下流側に位置されるように、水の流れ方向Ｘに対して角度θ５だけ傾斜させて配設したものである。
【００４１】
この河川構造物４は、平面視において、複数の重しブロック８を上流側に向かって左右非対称の略Ｖ字状に配設するとともに、砂払材２４を堤防側から河心側に向かって下流側に傾斜させて配設したことにより、河川の水の流れに対して抵抗となることができるとともに、略Ｖ字状の重しブロック８群Ｇ１・Ｇ２間に水の流れを集めつつ河心側への方向付けを与えることができ、河川の流れの勢いの弱化と流れの方向の制御とを行うことができる。
【００４２】
図１８に示す河川構造物４は、複数の重しブロック８を堤防側の複数の重しブロック８群Ｇ１とこの堤防側の重しブロック８群Ｇ１よりも多い数の河心側の複数の重しブロック８群Ｇ２とに２分し、堤防側の重しブロック８群Ｇ１を堤防側よりも河心側が上流側に前進して位置されるように、水の流れ方向Ｘに対して角度θ６だけ傾斜させて配設するとともに、河心側の重しブロック８群Ｇ２を堤防側よりも河心側が下流側に後退して位置されるように、水の流れ方向Ｘに対して前記角度θ６と交差する角度θ７だけ傾斜させて配設し、また、砂払材２４を堤防側よりも河心側が下流側に位置されるように、水の流れ方向Ｘに対して角度θ８だけ傾斜させて配設したものである。
【００４３】
この河川構造物４は、平面視において、複数の重しブロック８を上流側に向かって左右非対称の略逆Ｖ字状に配設するとともに、砂払材２４を堤防側から河心側に向かって下流側に傾斜させて配設したことにより、河川の水の流れに対して抵抗となることができるとともに、略逆Ｖ字状の重しブロック８群Ｇ１・Ｇ２により水の流れを堤防側と河心側とに一定の比率で分けつつ河心側への方向付けを与えることができ、河川の流れの勢いの弱化と流れの方向の制御とを行うことができる。
【００４４】
図１９に示す重しブロック８は、複数の重しブロック８を堤防側の複数の重しブロック８群Ｇ１とこの堤防側の重しブロック８群Ｇ１よりも多い数の河心側の複数の重しブロック８群Ｇ２とに２分し、堤防側の重しブロック８群Ｇ１を河心側から堤防側に位置されるにしたがい下流方向へ大きな割合で後退されるように、大きな曲率線Ｒ１に沿って配設するとともに、河心側の重しブロック８群Ｇ２を堤防側から河心側に位置されるにしたがい下流方向へ前記ブロック８群Ｇ１よりも小さな割合で後退されるように、前記曲率線Ｒ１よりも小さな曲率の曲率線Ｒ２に沿って配設し、また、砂払材２４を堤防側よりも河心側が下流側に位置されるように、水の流れ方向Ａに対して角度θ９だけ傾斜させて配設したものである。
【００４５】
この河川構造物４は、平面視において、複数の重しブロック８を上流側に向かって左右非対称の略逆Ｕ字状に湾曲させて配設するとともに、砂払材２４を堤防側から河心側に向かって下流側に傾斜させて配設したことにより、河川の水の流れに対して抵抗となることができるとともに、略逆Ｕ字状の重しブロック８群Ｇ１・Ｇ２により水の流れを堤防側と河心側とに一定の比率で緩やかに分けつつ河心側への方向付けを与えることができ、河川の流れの勢いの弱化と流れの方向の制御とを行うことができる。
【００４６】
【発明の効果】
このように、この発明の河川構造物は、木材からなる各材を連結して枠体を組み、この枠体の各梁材間に特定形状の重しブロックを配設し、この重しブロックに各支持材を貫通させて桁材に連結していることにより、枠体と重しブロックとによって河川の水の流れに対して抵抗となることができるとともに方向付けを与えることができ、また、枠体に載せる重しブロックを特定形状に形成していることから、重しブロックの配置を合理的に設計することができ、持ち上げ時に重しブロックの形状が変化することがなく、重しブロックの移動や設置に手間が係ることが無い。
【００４７】
このため、この河川構造物は、河川の流れの勢いの弱化と流れの方向の制御とを行うことができ、安定した治水を実現することができ、また、合理的且つ容易に構築することができる。
【図面の簡単な説明】
【図１】第１実施例を示す河川構造物の斜視図である。
【図２】河川構造物の平面図である。
【図３】河川構造物の正面図である。
【図４】河川構造物の側面図である。
【図５】重しブロックを示し、（Ａ）は平面図、（Ｂ）は正面図、（Ｃ）は側面図である。
【図６】第２実施例を示す河川構造物の平面図である。
【図７】重しブロックの第１の変形例を示す正面図である。
【図８】重しブロックの第２の変形例を示す正面図である。
【図９】重しブロックの第３の変形例を示す正面図である。
【図１０】重しブロックの第４の変形例を示す正面図である。
【図１１】重しブロックの第５の変形例を示す正面図である。
【図１２】重しブロックの第６の変形例を示す正面図である。
【図１３】重しブロックの第７の変形例を示す正面図である。
【図１４】重しブロックの第８の変形例を示し、（Ａ）は平面図、（Ｂ）は正面図、（Ｃ）は側面図である。
【図１５】第８の変形例の重しブロックを配置した河川構造物の平面図である。
【図１６】河川構造物の第１の変形例を示す正面図である。
【図１７】河川構造物の第２の変形例を示す正面図である。
【図１８】河川構造物の第３の変形例を示す正面図である。
【図１９】河川構造物の第４の変形例を示す正面図である。
【符号の説明】
２  川床
４  河川構造物
６  枠体
８  重しブロック
２２  貫通孔
２４  砂払材
２６  第１合掌材
２８  棟材
３０  前立材
３２  桁材
３４  第１梁材
３６  第２合掌材
３８  第２梁材
４０  第３合掌材
４２  第３梁材
４４  第１支持材
４６  第２支持材
４８  補強材
５０  連絡材
【図１】
2004176436.tif 000003
【図２】
2004176436.tif 000004
【図３】
2004176436.tif 000005
【図４】
2004176436.tif 000006
【図５】
2004176436.tif 000007
【図６】
2004176436.tif 000008
【図７】
2004176436.tif 000009
【図８】
2004176436.tif 000010
【図９】
2004176436.tif 000011
【図１０】
2004176436.tif 000012
【図１１】
2004176436.tif 000013
【図１２】
2004176436.tif 000014
【図１３】
2004176436.tif 000015
【図１４】
2004176436.tif 000016
【図１５】
2004176436.tif 000017
【図１６】
2004176436.tif 000018
【図１７】
2004176436.tif 000019
【図１８】
2004176436.tif 000020
【図１９】
2004176436.tif 000021